(57)【特許請求の範囲】
【請求項１】
セル内に設置された放射性廃液貯槽の下側に、中心から放射状に延びる仕切壁によって周方向に複数の液受入区画を形成すると共に該各液受入区画の底面を中心へ向けて下り勾配となるように形成したドリップトレイを、該ドリップトレイの中心が上記放射性廃液貯槽の底部中心と一致するように設置して上記放射性廃液貯槽の漏洩個所から流下する漏洩廃液が漏洩個所の下方に位置する液受入区画に受けられるようにし、且つ上記ドリップトレイの中心付近となる各液受入区画毎の最低位個所に、呼込孔をそれぞれ設け、該各呼込孔に、一端をサンプリング室内のサンプリング装置に接続したサンプリング管の他端をそれぞれ接続して、上記液受入区画に受けられた漏洩廃液から放射性廃液貯槽の漏洩個所を特定するよう上記液受入区画に受けられた漏洩廃液を、該液受入区画の呼込孔からサンプリング管を通してサンプリング装置に導くようにした構成を有することを特徴とする放射性廃液貯槽の漏洩検知装置。
【請求項２】
セル内に設置された放射性廃液貯槽の胴部外壁面の上部位置に、該胴部外壁面に水をかけて流下させるようにするためのリング状のシャワーヘッダーを取り付けると共に、上記放射性廃液貯槽の胴部外壁面の下部位置に、仕切壁により周方向に複数の液受入区画を形成したリング状の樋を勾配を付けて取り付けて上記放射性廃液貯槽の外壁面に沿って流下する水が樋の各液受入区画に受けられるようにし、且つ該樋の各液受入区画毎の最低位個所に、呼込孔をそれぞれ設け、該各呼込孔に、一端をサンプリング室内のサンプリング装置に接続した複数の独立させたサンプリング管の他端をそれぞれ接続して、上記樋の各液受入区画に受けられた水を分析して放射性廃液貯槽の漏洩個所を特定するよう上記各液受入区画に受けられた水を、各サンプリング管を通し別々にサンプリング装置に導いて分析するようにした構成を有することを特徴とする放射性廃液貯槽の漏洩検知装置。
【請求項３】
樋を勾配を付けて取り付けて各液受入区画の最低位個所に呼込孔を設けることに代えて、樋を水平状態に取り付け、各液受入区画の底面に傾斜をつけて最低位個所に呼込孔を設けるようにして、上記樋の各液受入区画に受けられた水を分析して放射性廃液貯槽の漏洩個所を特定するよう上記各液受入区画に受けられた水を、各サンプリング管を通し別々にサンプリング装置に導いて分析するようにした請求項２記載の放射性廃液貯槽の漏洩検知装置。
【発明の詳細な説明】
【０００１】
【発明の属する技術分野】
本発明は原子力プラントにおいて発生した放射性廃液を貯蔵する貯槽の漏洩を検知するための漏洩検知装置に関するものである。
【０００２】
【従来の技術】
放射性廃液を貯蔵する容器としての放射性廃液貯槽は、遮蔽空間を形成するように構築されたセル内に設置されるが、万一の廃液漏洩を考えて、貯槽の下側には、漏洩した廃液を受けるようにするためのドリップトレイが設置されている。
【０００３】
又、漏洩が発生した場合には、その漏洩個所を知ることによって、素早く対応することが可能であると考えられるため、定期的に漏洩検知を行うようにしているが、これまでは、セルに設けられた検査ホールからファイバースコープ等の検査機器をセル内に挿入して、間接的な目視により漏洩検知を行う方法が採用されている。
【０００４】
【発明が解決しようとする課題】
ところが、上記放射性廃液貯槽は作業員から隔離されたセル内にあり、しかも、セル内には多数の機器や配管等が設置されているため、上記ファイバースコープ等の検査機器を用いた目視による漏洩検知では、操作性の問題があることや死角部分が存在することから、全体的な検査を行うことができず、又、漏洩が発生した場合にはドリップトレイで受けられるので、ドリップトレイを監視することで漏洩を検知することは可能であるが、漏洩個所を特定することはできず、更に、早期発見は困難である。
【０００５】
そこで、本発明は、放射性廃液貯槽に対し全体的に漏洩検知を行うことができるようにして、漏洩個所を特定できるようにし、又、早期発見を行うことができるようにしようとするものである。
【０００６】
【課題を解決するための手段】
本発明は、上記課題を解決するために、セル内に設置された放射性廃液貯槽の下側に、中心から放射状に延びる仕切壁によって周方向に複数の液受入区画を形成すると共に該各液受入区画の底面を中心へ向けて下り勾配となるように形成したドリップトレイを、該ドリップトレイの中心が上記放射性廃液貯槽の底部中心と一致するように設置して上記放射性廃液貯槽の漏洩個所から流下する漏洩廃液が漏洩個所の下方に位置する液受入区画に受けられるようにし、且つ上記ドリップトレイの中心付近となる各液受入区画毎の最低位個所に、呼込孔をそれぞれ設け、該各呼込孔に、一端をサンプリング室内のサンプリング装置に接続したサンプリング管の他端をそれぞれ接続して、上記液受入区画に受けられた漏洩廃液から放射性廃液貯槽の漏洩個所を特定するよう上記液受入区画に受けられた漏洩廃液を、該液受入区画の呼込孔からサンプリング管を通してサンプリング装置に導くようにした構成とする。
【０００７】
貯槽に漏洩が発生すると、漏洩した廃液は貯槽外壁面に沿い流下して、その下方に位置するドリップトレイの液受入区画にて受け入れられ、その液受入区画の呼込孔からサンプリング管を通ってサンプリング装置に導かれるので、漏洩個所を特定することができる。
【０００８】
又、セル内に設置された放射性廃液貯槽の胴部外壁面の上部位置に、該胴部外壁面に水をかけて流下させるようにするためのリング状のシャワーヘッダーを取り付けると共に、上記放射性廃液貯槽の胴部外壁面の下部位置に、仕切壁により周方向に複数の液受入区画を形成したリング状の樋を勾配を付けて取り付けて上記放射性廃液貯槽の外壁面に沿って流下する水が樋の各液受入区画に受けられるようにし、且つ該樋の各液受入区画毎の最低位個所に、呼込孔をそれぞれ設け、該各呼込孔に、一端をサンプリング室内のサンプリング装置に接続した複数の独立させたサンプリング管の他端をそれぞれ接続して、上記樋の各液受入区画に受けられた水を分析して放射性廃液貯槽の漏洩個所を特定するよう上記各液受入区画に受けられた水を、各サンプリング管を通し別々にサンプリング装置に導いて分析するようにした構成としたり、上記樋を勾配を付けて取り付けて各液受入区画の最低位個所に呼込孔を設けることに代えて、樋を水平状態に取り付け、各液受入区画の底面に傾斜をつけて最低位個所に呼込孔を設けるようにして、上記樋の各液受入区画に受けられた水を分析して放射性廃液貯槽の漏洩個所を特定するよう上記各液受入区画に受けられた水を、各サンプリング管を通し別々にサンプリング装置に導いて分析するようにした構成とした場合は、シャワーヘッダーから貯槽の胴部外壁面にかけた水が胴部外壁面に沿い流下して、その下方に位置する樋の液受入区画にて受けられ、その液受入区画の呼込孔からサンプリング管を通ってサンプリング装置に導かれるので、漏洩量が少量であっても漏洩を早期発見することができる。
【０００９】
【発明の実施の形態】
以下、本発明の実施の形態を図面を参照して説明する。
【００１０】
図１（イ）（ロ）は本発明の実施の一形態を示すもので、原子力プラントにおいて、セル１内に設置された放射性廃液貯槽２の下側に、該貯槽２の外径よりも大径として中心から放射状に延びる仕切壁３によって周方向に複数（たとえば６つ）の液受入区画４を形成すると共に該各液受入区画４の底面を中心へ向けて下り勾配となるように形成したドリップトレイ５を、該ドリップトレイ５の中心が上記貯槽２の底部中心位置と一致するように設置して、漏洩個所の下方に位置する液受入区画４にて漏洩個所から流下した廃液が受けられるようにし、且つ上記ドリップトレイ５の中心部付近となる各液受入区画４毎の最低位個所に、受け入れた漏洩廃液を１個所に呼び込むようにするための呼込孔６をそれぞれ設けて、該各呼込孔６に、一端をセル１外のサンプリング室９内に設置されたサンプリング装置１０に接続したサンプリング管７の他端をそれぞれ接続して、液受入区画４に受け入れた漏洩廃液を呼込孔６からサンプリング管７を通して重力移送によりサンプリング装置１０へ導けるようにする。なお、８はサンプリング管７に設けた自動開閉弁を示す。
【００１１】
放射性廃液貯槽２に漏洩が発生した場合、漏洩廃液は漏洩個所から外壁面に沿って流下することによりドリップトレイ５にて受けられるが、該ドリップトレイ５には、放射状に配した仕切壁３によって周方向に複数の液受入区画４が形成されているため、上記漏洩廃液は漏洩個所の下方に位置する液受入区画４に受け入れられることになる。次に、該液受入区画４に受け入れられた漏洩廃液は勾配により呼込孔６に呼び込まれ、該呼込孔６に独立して接続されているサンプリング管７を通ってサンプリング室９内のサンプリング装置１０に導かれて、サンプリングされる。
【００１２】
したがって、このサンプリングにより放射能が測定されると、漏洩廃液が通ってきたサンプリング管７と対応するドリップトレイ５の液受入区画４の上方に漏洩個所が存在するものとして漏洩個所を特定することができる。これにより、漏洩個所に対する対策検討を円滑に進めることができるようになるので、汚染の拡大を防止することができる。
【００１３】
次に、図２（イ）（ロ）は本発明の実施の他の形態を示すもので、セル１内に設置された放射性廃液貯槽２の胴部外壁面の上部位置に、セル１外から導いた給水管２０に接続されていて内周部側に設けた多数のノズル１１ａより貯槽２の胴部外壁面上部位置へ向けて全周に亘り水をかけるようにするためのリング状のシャワーヘッダー１１を取り付け、又、上記貯槽２の胴部外壁面の下部位置に、仕切壁１２により周方向に複数（たとえば、８つ）の液受入区画１３を形成したリング状の樋１４を、勾配を適宜付けて取り付けて、上記シャワーヘッダー１１から吹きかけられて胴部外壁面に沿い流下してくる水を樋１４の各液受入区画１３で受けられるようにし、且つ該樋１４の各液受入区画１３毎の最低位個所に、受け入れた水を１個所に呼び込むようにするための呼込孔１５をそれぞれ設けると共に、該各呼込孔１５に、個々の排水管１６の上端を接続して、該各排水管１６の下端をそれぞれ別個のドリップトレイ１７に導くようにして、液受入区画１３内の水を呼込孔１５から排水管１６を通してドリップトレイ１７に集められるようにし、更に、該各ドリップトレイ１７に、個々独立させたサンプリング管１８を接続し、該各サンプリング管１８をセル１外のサンプリング室９内に設置されたサンプリング装置１０に導いて、ドリップトレイ１７内の水をサンプリング管１８を通してサンプリング装置１０へ送って分析させるようにしたものである。なお、１９はサンプリング管１８に設けた自動開閉弁を示す。
【００１４】
図２（イ）（ロ）に示す実施の形態によれば、定期点検等を行う場合に、シャワーヘッダー１１より貯槽２の外壁面上部位置へ向けて所要量の水をかけるようにすると、貯槽２の外壁面に沿って流下した水が樋１４の各液受入区画１３内に受け入れられ、各液受入区画１３毎の排水管１６、ドリップトレイ１７、サンプリング管１８を経てサンプリング装置１０へ送られることになるので、貯槽２に漏洩が発生して貯槽２の外壁面に漏洩廃液が付着している場合は、漏洩廃液は、シャワーヘッダー１１からの水とともに流下して漏洩個所の下方に位置する樋１４の液受入区画１３に受けられた後、呼込孔１５から排水管１６を通りドリップトレイ１７に集められ、更に、シャワーの水と一緒にサンプリング管１８を通ってサンプリング室９内のサンプリング装置１０へ導かれて分析され、分析の結果、放射能が測定されると、放射能が測定された水を受け入れた該液受入区画１３の上方に漏洩個所があることを検知することができる。なお、貯槽２の外壁面にシャワーヘッダー１１によってかける水の量は、樋１４の呼込孔１５に接続した排水管１６ですべて排出できる量とする。
【００１５】
この実施の形態では、シャワーヘッダー１１から水を流すようにしていることから、定期点検時等において漏洩廃液の量が少ない場合でも、水と一緒にサンプリングして分析することができるので、漏洩個所を早期に発見することができる。すなわち、漏洩した廃液の量が少ない場合は、直接サンプリング装置１０に到達するまでに多くの時間が掛かることになるが、このような状況下でも、貯槽２の外壁面に水をかけることにより少ない漏洩廃液をサンプリング装置１０に直ちに導くことができることになるので、漏洩を早期発見することができて、早期に対策をとることができることになる。
【００１６】
次いで、図３（イ）（ロ）はいずれも本発明の実施の更に他の形態として図２（イ）（ロ）に示した実施の形態を変形したものである。すなわち、貯槽２の外壁面下部位置に樋１４を勾配を付けて取り付けて各液受入区画１３の最低位個所に呼込孔１５を設けることに代えて、図３（イ）は、樋１４を水平に取り付け、各液受入区画１３の底面に長手方向一端から多端へ向けて下り勾配となるように傾斜を付けて、最低位個所に呼込孔１５を設けるようにした場合を示し、又、図３（ロ）は、樋１４を水平に取り付け、各液受入区画１３の底面に長手方向両端から中央部へ向けて下り勾配となるように傾斜を付けて、最低位個所に呼込孔１５を設けるようにした場合を示すもので、いずれの型式を採用しても、図２（イ）（ロ）に示した実施の形態の場合と同様な作用効果が奏し得られる。
【００１７】
なお、図２（イ）（ロ）の実施の形態では、シャワーヘッダー１１の内周側に多数のノズル１１ａを設けた場合を示したが、リング状のスリットであってもよいこと、又、排水管１６とドリップトレイ１７を不要として、樋１４の各呼込孔１５にサンプリング管１８を直接接続するようにすることもできること、その他本発明の要旨を逸脱しない範囲内において種々変更を加え得ることは勿論である。
【００１８】
【発明の効果】
以上述べた如く、本発明の放射性廃液貯槽の漏洩検知装置によれば、セル内に設置された放射性廃液貯槽の下側に、中心から放射状に延びる仕切壁によって周方向に複数の液受入区画を形成すると共に該各液受入区画の底面を中心へ向けて下り勾配となるように形成したドリップトレイを、該ドリップトレイの中心が上記放射性廃液貯槽の底部中心と一致するように設置して上記放射性廃液貯槽の漏洩個所から流下する漏洩廃液が漏洩個所の下方に位置する液受入区画に受けられるようにし、且つ上記ドリップトレイの中心付近となる各液受入区画毎の最低位個所に、呼込孔をそれぞれ設け、該各呼込孔に、一端をサンプリング室内のサンプリング装置に接続したサンプリング管の他端をそれぞれ接続して、上記液受入区画に受けられた漏洩廃液から放射性廃液貯槽の漏洩個所を特定するよう上記液受入区画に受けられた漏洩廃液を、該液受入区画の呼込孔からサンプリング管を通してサンプリング装置に導くようにした構成としてあるので、貯槽の外壁面への廃液の漏洩が発生している場合は、漏洩廃液が漏洩個所より下方へ流下してそのままドリップトレイの該当する液受入区画に受け入れられた後、その液受入区画のサンプリング管を通してサンプリング装置へ導かれることにより漏洩を検知することができて、直ちに漏洩個所を特定することができると共に、漏洩対策を円滑に進めることができ、又、セル内に設置された放射性廃液貯槽の胴部外壁面の上部位置に、該胴部外壁面に水をかけて流下させるようにするためのリング状のシャワーヘッダーを取り付けると共に、上記放射性廃液貯槽の胴部外壁面の下部位置に、仕切壁により周方向に複数の液受入区画を形成したリング状の樋を勾配を付けて取り付けて上記放射性廃液貯槽の外壁面に沿って流下する水が樋の各液受入区画に受けられるようにし、且つ該樋の各液受入区画毎の最低位個所に、呼込孔をそれぞれ設け、該各呼込孔に、一端をサンプリング室内のサンプリング装置に接続した複数の独立させたサンプリング管の他端をそれぞれ接続して、上記樋の各液受入区画に受けられた水を分析して放射性廃液貯槽の漏洩個所を特定するよう上記各液受入区画に受けられた水を、各サンプリング管を通し別々にサンプリング装置に導いて分析するようにした構成としたり、上記樋を勾配を付けて取り付けて各液受入区画の最低位個所に呼込孔を設けることに代えて、樋を水平状態に取り付け、各液受入区画の底面に傾斜をつけて最低位個所に呼込孔を設けるようにして、上記樋の各液受入区画に受けられた水を分析して放射性廃液貯槽の漏洩個所を特定するよう上記各液受入区画に受けられた水を、各サンプリング管を通し別々にサンプリング装置に導いて分析するようにした構成とすることにより、シャワーヘッダーから貯槽胴部外壁面にかけた水が樋の液受入区画に受け入れられて、その液受入区画毎のサンプリング管を通ってサンプリング装置へ導かれるので、僅かな漏洩でも早期発見することができる、等の優れた効果を発揮する。
【図面の簡単な説明】
【図１】本発明の放射性廃液貯槽の漏洩検知装置の実施の一形態を示すもので、（イ）は概略側面図、（ロ）は（イ）のＡ−Ａ方向矢視図である。
【図２】本発明の実施の他の形態を示すもので、（イ）は概略側面図、（ロ）は（イ）のＢ−Ｂ方向矢視図である。
【図３】本発明の実施の更に他の形態を示すもので、（イ）（ロ）はいずれも図２（イ）（ロ）の実施の形態を変形させた状態を示す概略側面図である。
【符号の説明】
１  セル
２  放射性廃液貯槽
３  仕切壁
４  液受入区画
５  ドリップトレイ
６  呼込孔
７  サンプリング管
９  サンプリング室
１０  サンプリング装置
１１  シャワーヘッダー
１２  仕切壁
１３  液受入区画
１４  樋
１５  呼込孔
１８  サンプリング管
【図１】
0004265081.tif 000002
【図２】
0004265081.tif 000003
【図３】
0004265081.tif 000004